(57)【要約】      （修正有）【課題】少ない人数で、確実に大型メータを配管に取り付けることができる大型メータ取付構造を提供する。【解決手段】一対の配管のエルボ部分にそれぞれ固定されるエルボ固定ケースと、左右のエルボ固定ケース間に掛け渡された横ステー部材２０と、大型メータＭの左右のフランジＦに固定される２つのフランジ吊り下げ部材３０と、該フランジ吊り下げ部材３０の連結金具３６と前記横ステー部材２０との間に連結される２台のレバーホイスト４０と、前記横ステー部材２０に固定されて、左右のワイヤをハンドルの回転で左右同時に繰り出し、または左右同時に巻き取るハンドウインチと、前記ワイヤの先端に設けられて前記レバーホイスト４０に替えてフランジ吊り下げ部材３０の連結部に連結される連結具とからなることを特徴とする。【選択図】図７
0003203274.tif 000002
【実用新案登録請求の範囲】
【請求項１】
一対の入側配管と出側配管のそれぞれの口金が形成されたエルボ部分に固定される一対のエルボ固定ケースと、
該一対のエルボ固定ケースに掛け渡されてエルボ固定ケースの上部に固定される横ステー部材と、
該横ステー部材の両端側に設けられた掛止金具と、
大型メータの中途位置で外側に突出するフランジに着脱可能に固定されるフランジ固定部材と、該フランジ固定部材を吊り下げる吊り下げ体と、該吊り下げ体の上端に設けられた連結金具とからなり、大型メータの左右側面のフランジに固定される２つのフランジ吊り下げ部材と、
チェーン駆動部を内蔵したケースに固定された上フックと、先端に下フックを設けたロードチェーンと、該ロードチェーンをチェーン駆動部により巻上巻下する操作レバーとからなり、前記一対のフランジ吊り下げ部材の連結金具に下フックを連結し、前記横ステー部材の掛止金具に上フックを連結した状態で、レバー操作によるチェーンを巻上げて吊り下げ部材を介して大型メータを吊り上げるための２台のレバーホイストとからなることを特徴とする大型メータ取付構造。
【請求項２】
横ステー部材上の中央に設けられて左右のワイヤをハンドルの回転で左右同時に繰り出し、または左右同時に巻き取るハンドウインチと、
横ステー部材の左右両端側で前記左右に延びるワイヤをそれぞれ両端で下向きにガイドする一対の滑車とからなり、各ワイヤの先端にはフランジ吊り下げ部材の連結金具に着脱可能に連結される連結部が設けられていることを特徴とする請求項１に記載の大型メータ取付構造。
【請求項３】
エルボ固定ケースが、底面が開放されたボックス形状からなっており、入側または出側配管の延出側の壁面に配管を通す切欠が形成されていると共に、エルボ固定ケースの上面および側面に先端がエルボ固定ケースに収納されたエルボ部分と衝合してエルボ固定ケースを固定するネジを有するストッパが螺合しており、前記配管の延出側の壁面には、昇降自在に設けられて前記配管の底面に衝合するストッパ板が設けられていることを特徴とする請求項１または２に記載の大型メータ取付構造。
【考案の詳細な説明】
【技術分野】
【０００１】
本考案は、大型のガスメータの取替や交換などの取付に際して、大型メータを配管に固定するための構造に関する。
【背景技術】
【０００２】
例えば、特開２００６−５３０７１のガスメータ交換方法では、入側口金と出側口金を入側配管と出側配管に着脱自在に接続してある既設ガスメータを新規ガスメータに交換するガスメータ交換方法であって、入側口金とガスメータ内部とを連通状態と遮断状態とに切り換え自在な入側開閉手段と、出側口金とガスメータ内部とを連通状態と遮断状態とに切り換え自在な出側開閉手段とを備えた新規ガスメータにガスを充填して、各開閉手段を遮断状態に切り換えておき、既設ガスメータを入側配管と出側配管から外して、新規ガスメータを入側配管と出側配管に接続した後、各開閉手段を連通状態に切り換えて、新規ガスメータに交換する方法が知られている。
しかし、上記ガスメータが小型で軽量な場合には、容易に交換できるが、事業用のガスメータなどの大型のガスメータでは、重量が重く、大型メータの口金と配管の口金とを整合してユニオン金具などで連結する際に、大型ガスメータを持ち上げて支える人と、口金の位置合わせをする人と、連結のためにユニオン金具などを操作する人など多くの人手が必要となり、また作業も時間のかかる煩雑な作業となっていたし、大型メータが倒れたりすると危険であり、またメータの損傷も避けられなかった。
【先行技術文献】
【特許文献】
【０００３】
【特許文献１】特開２００６−５３０７１号公報
【考案の概要】
【考案が解決しようとする課題】
【０００４】
この考案は上記事情に鑑みて創案されたものであって、その解決しようとする問題点は、少ない人数で、確実に大型メータを配管に取り付けることができる大型メータ取付構造を提供することにある。
【課題を解決するための手段】
【０００５】
本考案は、上記課題を解決するために、請求項１の考案では、
一対の入側配管と出側配管のそれぞれの口金が形成されたエルボ部分に固定される一対のエルボ固定ケースと、
該一対のエルボ固定ケースに掛け渡されてエルボ固定ケースの上部に固定される横ステー部材と、
該横ステー部材の両端側に設けられた掛止金具と、
大型メータの中途位置で外側に突出するフランジに着脱可能に固定されるフランジ固定部材と、該フランジ固定部材を吊り下げる吊り下げ体と、該吊り下げ体の上端に設けられた連結金具とからなり、大型メータの左右側面のフランジに固定される２つのフランジ吊り下げ部材と、
チェーン駆動部を内蔵したケースに固定された上フックと、先端に下フックを設けたロードチェーンと、該ロードチェーンをチェーン駆動部により巻上巻下する操作レバーとからなり、前記一対のフランジ吊り下げ部材の連結金具に下フックを連結し、前記横ステー部材の掛止金具に上フックを連結した状態で、レバー操作によるチェーンを巻上げて吊り下げ部材を介して大型メータを吊り上げるための２台のレバーホイストとからなることを特徴とする。
【０００６】
請求項２の考案では、
前記横ステー部材上の中央に設けられて左右のワイヤをハンドルの回転で左右同時に繰り出し、または左右同時に巻き取るハンドウインチと、
横ステー部材の左右両端側で前記左右に延びるワイヤをそれぞれ両端で下向きにガイドする一対の滑車とからなり、各ワイヤの先端にはフランジ吊り下げ部材の連結金具に着脱可能に連結される連結部が設けられていることを特徴とする。
請求項３の考案では、
前記エルボ固定ケースが、底面が開放されたボックス形状からなっており、入側または出側配管の延出側の壁面に配管を通す切欠が形成されていると共に、エルボ固定ケースの上面および側面に先端がエルボ固定ケースに収納されたエルボ部分と衝合してエルボ固定ケースを固定するネジを有するストッパが螺合しており、前記配管の延出側の壁面には、昇降自在に設けられて前記配管の底面に衝合するストッパ板が設けられていることを特徴とする。
【考案の効果】
【０００７】
本考案の大型メータ取付構造は、入側配管と出側配管の口金近傍のエルボ部分にそれぞれエルボ固定ケースを固定し、該一対のエルボ固定ケース上に横ステー部材を固定する。
取付前の大型メータの左右の側面のフランジに一対のフランジ吊り下げ部材をそれぞれ固定する。
横ステー部材の左右の掛止金具に２台のレバーホイストのそれぞれの上フックを掛止め、下フックを各吊り下げ部材の連結金具に掛止め、操作レバーで巻き上げることで大型メータを吊り上げることができる。
前記入側配管と出側配管の口金が更に高所に配置されている場合には、前記レバーホイストで吊り上げた大型メータを仮の台の上に載置しておき、レバーホイストに替えてハンドウインチの左右に伸びるワイヤ先端の連結具を左右の吊り下げ部材の連結金具に連結する。そしてハンドルを回転することで左右のワイヤを巻き取って前記入側配管と出側配管の口金近傍まで上昇させ、大型メータの口金と配管の口金とを連結することができる。
【図面の簡単な説明】
【０００８】
【図１】（ａ）はエルボ固定ケースの斜視図、（ｂ）は背面図である。
【図２】配管に大型メータを取付けた状態の正面図である。
【図３】（ａ）は横ステー部材の正面図、（ｂ）は側面図である。
【図４】（ａ）はフランジ吊り上げ部材の正面図、（ｂ）はフランジ固定部材の側面図である。
【図５】エルボ固定ケースに横ステー部材を固定した状態の要部正面図である。
【図６】レバーホイストの正面図である。
【図７】レバーホイストを用いて大型メータを吊り上げる状態の正面から見た部分図である。
【図８】横ステー部材にハンドウインチと滑車を装着した状態の正面図である。
【図９】ハンドウインチを用いて大型メータを吊り上げる状態の正面から見た部分図である。
【考案を実施するための形態】
【０００９】
この大型メータ取付構造は、ガス配管のエルボ部分５．６にエルボ固定ケース１０を固定し、この固定されたエルボ固定ケース１０、１０間に横ステー部材２０を固定し、フランジ吊り下げ部材３０を介してレバーホイスト４０やハンドウィンチ５０を用いて大型メータＭを所定位置まで吊り上げる構成からなっている。
なお、この考案で大型メータＭとは、実際の作業者が一人では配管に取り付けることができない大きさまたは重さのメータをいい、外形の寸法や重量は特に限定されるものではない。
以下に、この考案の好適実施例について図面を参照しながら説明する。
【実施例１】
【００１０】
大型メータ取付構造は、上記のように、一対のエルボ固定ケース１０と、横ステー部材２０と、一対のフランジ吊り下げ部材３０と、一対のレバーホイスト４０と、ハンドウィンチ５０とからなっている。
【００１１】
［エルボ固定ケース］
エルボ固定ケース１０は、図１に示すように、底面が開放されたボックス形状からなっており、入側配管、出側配管１、２の口金３、４近傍のエルボ部分５、６に外嵌するようになっている。
本実施例では前記配管１，２は、左右側から接近し所定の離間位置となるまで略水平に延出し、次いで同じレベルで前方へ直角に折れ曲がり、前端で下方に直角に折れ曲がって口金３、４となるエルボ部分５，６が形成されており、上記前方に伸びる個所に外嵌することができるようにエルボ固定ケース１０の前面に切欠１０Ａと背面に配管を通す切欠１０Ｂとが形成されている。
【００１２】
エルボ固定ケース１０の上面は、エルボ部分５，６に対応して前方側が前方に向かって下降傾斜する前方傾斜面１１となり後方側が後方水平面１２に形成されており、前方傾斜面１１には、エルボ部分５，６に嵌合した際に前記下方に折れ曲がる配管個所の前面と衝合するようにストッパとなるネジ棒１３が斜めに螺合されている。
【００１３】
また、後方水平面１２で上面全体の略中央位置には、上方へ突出し、後述の横ステー部材２０に螺合されるネジ棒１４が垂直に立設されている。
エルボ固定ケース１０の左右の側面には、前記下方に折れ曲がる配管個所の側面と衝合するようにストッパとなるネジ棒１５がそれぞれ水平に螺合されている。
エルボ固定ケース１０の前記上面や左右の側面には、エルボ部分５，６とネジ棒１３、１５との衝合の確認と軽量化のための窓部１８が穿設されている。
【００１４】
エルボ固定ケース１０の左右の側面後方には、下方へ垂下するネジ棒１６がそれぞれ固定されており、該ネジ棒１６には前記エルボ部分の前方へ延びる個所の底面と衝合しうるストッパ板１７が昇降自在に螺合している。
【００１５】
即ち、ストッパ板１７は、前記ネジ棒１６の一方が通過する孔と他方を着脱可能に嵌挿させるＵ字孔１９を有して前記ネジ棒１６に沿って昇降する基板１７ａと、該基板１７ａの中央に立設された配管底面衝合板１７ｂとからなっており、前記基板１７ａの下方に螺合されたナットＮによって配管底面と衝合した位置でストッパ板１７を固定することができる（図５参照）。
【００１６】
［横ステー部材］
横ステー部材２０は、配管のエルボ部分５，６に固定された左右のエルボ固定ケース１０間に掛け渡されて、エルボ固定ケース１０の後方水平面１２に固定される断面蟻溝状のチャンネル部材からなっている（図３、図５参照）。
上記横ステー部材２０は、固定時に前記エルボ固定ケース１０よりも外方に延出する長さに設定されている。
【００１７】
この横ステー部材２０は、エルボ固定ケース１０のネジ棒１４を横ステー部材２０の底面に穿設された孔２１に挿通して、上面でワッシャ２２を介してナット２３で緊締するなどして固定する（図５参照）。
また、横ステー部材２０の左右両端の底面には掛止金具の一例としてリング２５が下向きに固定されている。
【００１８】
［フランジ吊り下げ部材］
フランジ吊り下げ部材３０は、大型メータＭの中途位置で外側に突出するフランジＦに着脱可能に固定されるフランジ固定部材３１と、該フランジ固定部材３１を吊り下げる吊り下げ体３５と、該吊り下げ体３５の上端に設けられた連結金具３６とからなっている（図４（ａ）参照）。
フランジ固定部材３１は、図４（ｂ）に示すように、横向きに開口して、フランジＦに外嵌するチャネル材からなっており、フランジ挿入側の上下の縁部に歯形状に折り曲げた折り返し部３１ａが形成され、内部には図示しないクッション材を設けてフランジＦを傷つけずに拘束し、抜けにくくなっている。
【００１９】
上記フランジ固定部材３１の上面には、挿入されたフランジＦを押圧する固定ネジ３３が取り付けられており、該固定ネジ３３を螺進してフランジＦをフランジ固定部材３１に挟圧している。
また、このフランジ固定部材３１の上部の左右両端にはチェーン３４を連結するための連結金具３２が固設されている。
そして、一対の連結金具３２にそれぞれチェーン３４が連結され、該チェーン３４は上端で集められ連結金具３６に連結されてフランジ固定部材３１をバランス良く吊り下げる吊り下げ体３５となっている。
【００２０】
［レバーホイスト］
レバーホイスト４０は、チェーン駆動部４１を内蔵したケース４２に固定された上フック４３と、先端に下フック４４と止め金具４７とを設けたロードチェーン４５と、該ロードチェーン４５をチェーン駆動部４１により巻上巻下する操作レバー４６とからなっている。
【００２１】
このレバーホイスト４０は、図７に示す通り、前記一対のフランジ吊り下げ部材３０の連結金具３６に下フック４４を連結し、前記横ステー部材２０の掛止金具２５に上フック４３を連結した状態で、操作レバー４６の操作によりロードチェーン４５を巻上げ、フランジ吊り下げ部材３０を介して、大型メータＭを吊り上げるようになっている。
【００２２】
そこで、大型メータＭの左右側面のフランジＦに、一対のフランジ吊り下げ部材３０を固定し、各フランジ吊り下げ部材３０にそれぞれレバーホイスト４０を連結し、左右のレバーホイスト４０の操作レバー４６をほぼ同時に操作することで、傾くことなく大型メータＭを上昇させることができる。
この上昇で、大型メータＭの口金７、８を前記配管１，２の口金３、４と整合する高さまで移動することができれば、前記口金３と７、４と８とをユニオンＵなどを用いて連結することができる。
【００２３】
［ハンドウインチ］
配管１，２の口金３，４の位置が更に高い場合には、上記上昇位置で、大型メータＭを仮の台（図示せず）の上に載置しておき、レバーホイスト４０に替えてハンドウインチ５０を用いて上昇させる。
即ち、前記エルボ固定ケース１０上に固定された横ステー部材２０上の中央にハンドウインチ５０が固定されており、該ハンドウインチ５０は、左右のワイヤ５３をハンドル５６の回転で左右同時に繰り出し、または左右同時に巻き取るドラムや逆転防止などの公知の駆動機構を備えている。
【００２４】
また、横ステー部材２０の左右両端側には、前記左右に延びるワイヤ５３をそれぞれ両端で下向きにガイドして方向転換させる左右一対の定滑車６０が固定されている。
そして、前記各ワイヤ５３の先端には、フランジ吊り下げ部材３０の連結金具３６に着脱可能に連結される連結部５５（一例としてのループ）が設けられている。
【００２５】
そこで、左右に配置された各フランジ吊り下げ部材３０の連結金具３６から各レバーホイスト４０の下フック４４を外し、前記ワイヤ５３の先端の連結具５５を連結する。
そして、ハンドウインチ５０のハンドル５６を回転することで、左右のワイヤ５３を巻き取って、前記入側配管１と出側配管２の口金３、４近傍まで上昇させ、大型メータＭの口金７、８と、配管１、２の口金３、４とをユニオンＵなどを用いて連結することができる（図９参照）。
この大型メータＭは、重さによっては中空位置に保持してもよいが、通常は、支持台７０上に載置しておくことが好ましい（図２参照）。
【００２６】
上記実施例ではエルボ固定ケースを配置する配管のエルボ部分が、左右に延びる配管から、前方に折れ曲がり、次いで下方に垂下する構造の場合を例示したが、左右に延びる配管から直角に垂下する構造であってもよく、その場合はエルボ固定ケースの側面に横向きの配管を通す切欠が設けられていればよく、前記実施例のエルボ固定ケースの背面の構造を一方の側面に形成することで対応してもよい。
その他、要するにこの考案の要旨を変更しない範囲で種々設計変更しうること勿論である。
【符号の説明】
【００２７】
１，２  配管
３、４  配管側の口金
５、６  エルボ部分
７、８  メータ側の口金
１０    エルボ固定ケース
２０    横ステー部材
２１    掛止金具
３０    フランジ吊り下げ部材
３１    フランジ固定部材
３５    吊り下げ体
３６    連結金具
４０    レバーホイスト
４１    チェーン駆動部
４２    ケース
４３    上フック
４４    下フック
４５    ロードチェーン
４６    操作レバー
５０    ハンドウインチ
５３    左右のワイヤ
５６    ハンドル
６０    滑車
Ｍ    大型メータ
Ｆ    フランジ
【図１】
0003203274.tif 000003
【図２】
0003203274.tif 000004
【図３】
0003203274.tif 000005
【図４】
0003203274.tif 000006
【図５】
0003203274.tif 000007
【図６】
0003203274.tif 000008
【図７】
0003203274.tif 000009
【図８】
0003203274.tif 000010
【図９】
0003203274.tif 000011